(57)【要約】【課題】フォーカシングレンズ群がコンパクトでフォーカシングレンズ群移動時の像倍率変化の小さいズームレンズ系を提供する。【解決手段】本発明に係るズームレンズ系は、物体側から像側へ向けて順に、正のパワーを有する第１レンズ群Ｇ１と、負のパワーを有する第２レンズ群Ｇ２と、非球面を含み、負のパワーを有する第３レンズ群Ｇ３と、第４レンズ群Ｇ４とを備える。第２レンズ群Ｇ２は、負のパワーを有するレンズ素子と、正のパワーを有するレンズ素子とを少なくとも含む。ズーミングに際して、第２レンズ群Ｇ２と第３レンズ群Ｇ３との空気間隔が広角端より望遠端で長くなるように、第３レンズ群Ｇ３が光軸に沿った方向に移動する。また、フォーカシングに際して、第２レンズ群Ｇ２と第３レンズ群Ｇ３との空気間隔が変化するように、第３レンズ群Ｇ３が光軸に沿った方向に移動する。【選択図】図１
2010175959.tif 000002
【特許請求の範囲】
【請求項１】
ズームレンズ系であって、
物体側から像側へ向けて順に、
正のパワーを有する第１レンズ群と、
負のパワーを有する第２レンズ群と、
非球面を含み、負のパワーを有する第３レンズ群と、
第４レンズ群とを備え、
前記第２レンズ群は、負のパワーを有するレンズ素子と、正のパワーを有するレンズ素子とを少なくとも含み、
ズーミングに際して、前記第２レンズ群と前記第３レンズ群との空気間隔が広角端より望遠端で長くなるように、前記第３レンズ群が光軸に沿った方向に移動し、
フォーカシングに際して、前記第２レンズ群と前記第３レンズ群との空気間隔が変化するように、前記第３レンズ群が光軸に沿った方向に移動する、ズームレンズ系。
【請求項２】
以下の条件を満足する、請求項１記載のズームレンズ系：
−１．６＜ｆF／ｆ4α＜−０．７  ・・・（６）
ここで、
ｆF：フォーカシングレンズ群の焦点距離、
ｆ4α：第４レンズ群以降のレンズ群の広角端での合成焦点距離、
である。
【請求項３】
前記第３レンズ群は少なくとも１枚の非球面レンズを備え、以下の条件を満足する、請求項１記載のズームレンズ系：
−０．３＜ｆF＊βFW＊βFW／（δｓF＊ｆT／ｆW）＜７．０  ・・・（１６）
ここで、
ｆF：フォーカシングレンズ群の焦点距離、
βFW：フォーカシングレンズ群の広角端での近軸結像倍率、
δｓF：フォーカシングレンズ群の中で最も物体側に位置する非球面の光軸から０．５＊
ｆW＊ｔａｎωWの高さでの非球面変形量、
ｆT：全系の望遠端での焦点距離、
ｆW：全系の広角端での焦点距離、
ωW：広角端の半画角、
である。
【請求項４】
以下の条件を満足する、請求項１記載のズームレンズ系：
１２＜ｆ1＊（ｆT／ｆW）／√（ｆW＊ｆT）＜２７  ・・・（７）
ここで、
ｆ1：第１レンズ群の焦点距離、
ｆT：全系の望遠端での焦点距離、
ｆW：全系の広角端での焦点距離、
である。
【請求項５】
以下の条件を満足する、請求項１記載のズームレンズ系：
−２０＜ｆ2＊（ｆT／ｆW）／√（ｆW＊ｆT）＜−６  ・・・（８）
ここで、
ｆ2：第２レンズ群の焦点距離、
ｆT：全系の望遠端での焦点距離、
ｆW：全系の広角端での焦点距離、
である。
【請求項６】
以下の条件を満足する、請求項１記載のズームレンズ系：
０．５＜δｔ1／ｆ1＜１．１  ・・・（９）
ここで、
δｔ1：広角端から望遠端にかけての第１レンズ群の移動量（ただし、広角端の位置を基
準とし、基準位置より物体側への繰り出しを正の値とする）、
ｆ1：第１レンズ群の焦点距離、
である。
【請求項７】
以下の条件を満足する、請求項１記載のズームレンズ系：
−０．７＜δｔ2／ｆ2＜−０．２  ・・・（１０）
ここで、
δｔ2：広角端から望遠端にかけての第２レンズ群の移動量（ただし、広角端の位置を基
準とし、基準位置より物体側への繰り出しを正の値とする）、
ｆ2：第２レンズ群の焦点距離、
である。
【請求項８】
以下の条件を満足する、請求項１記載のズームレンズ系：
−１．２＜δｔ3／ｆ3＜−０．４  ・・・（１１）
ここで、
δｔ3：広角端から望遠端にかけての第３レンズ群の移動量（ただし、広角端の位置を基
準とし、基準位置より物体側への繰り出しを正の値とする）、
ｆ3：第３レンズ群の焦点距離、
である。
【請求項９】
以下の条件を満足する、請求項１記載のズームレンズ系：
１．２＜δｔ4／ｆ4＜２．０  ・・・（１２）
ここで、
δｔ4：広角端から望遠端にかけての第４レンズ群の移動量（ただし、広角端の位置を基
準とし、基準位置より物体側への繰り出しを正の値とする）、
ｆ4：第４レンズ群の焦点距離、
である。
【請求項１０】
以下の条件を満足する、請求項１記載のズームレンズ系：
−２５＜β2T／β2W＜３４  ・・・（１３）
ここで、
β2T：望遠端における第２レンズ群の近軸結像倍率、
β2W：広角端における第２レンズ群の近軸結像倍率、
である。
【請求項１１】
以下の条件を満足する、請求項１記載のズームレンズ系：
−８＜β3T／β3W＜０．２  ・・・（１４）
ここで、
β3T：望遠端における第３レンズ群の近軸結像倍率、
β3W：広角端における第３レンズ群の近軸結像倍率、
である。
【請求項１２】
以下の条件を満足する、請求項１記載のズームレンズ系：
２＜β4T／β4W＜３．２  ・・・（１５）
ここで、
β4T：望遠端における第４レンズ群の近軸結像倍率、
β4W：広角端における第４レンズ群の近軸結像倍率、
である。
【請求項１３】
以下の条件を満足する、請求項１記載のズームレンズ系：
−１．７＜ＤＩＳW＊ｆT／ｆW＜−０．５  ・・・（１７）
ここで、
ＤＩＳW：広角端における最大像高の歪曲収差量、
ｆT：全系の望遠端での焦点距離、
ｆW：全系の広角端での焦点距離、
である。
【請求項１４】
請求項１に記載のズームレンズ系と、
前記ズームレンズ系が形成する光学像を受光して、電気的な画像信号に変換する撮像センサとを含むカメラ本体と接続されるカメラマウント部とを備える、交換レンズ装置。
【請求項１５】
請求項１に記載のズームレンズ系を含む交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体とを備える、カメラシステム。
【発明の詳細な説明】
【技術分野】
【０００１】
本発明は、ズームレンズ系、詳しくは、いわゆるレンズ交換式デジタルカメラの交換レンズ装置に用いられる撮像レンズ系として好適なズームレンズ系に関する。また、本発明は、上記ズームレンズ系を内蔵した交換レンズ装置、及びカメラシステムに関する。
【背景技術】
【０００２】
近年、レンズ交換式デジタルカメラが急速に普及している。レンズ交換式デジタルカメラは、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサを持つカメラ本体と、撮像センサの受光面に光学像を形成するための撮像レンズ系を備えた交換レンズ装置とを備えるカメラシステムである。特許文献１〜８は、このようなレンズ交換式デジタルカメラに適用可能なズームレンズ系を開示している。
【０００３】
一方、撮影レンズ系及び撮像センサによって生成された画像データをカメラ本体の液晶ディスプレイなどの表示装置に表示する機能（以下、「ライブビュー機能」という）を持つレンズ交換式デジタルカメラがある（例えば、特許文献９及び特許文献１０）。
【特許文献１】特開２００５−２８４０９７号公報
【特許文献２】特開２００５−３５２０５７号公報
【特許文献３】特開２００６−２２１０９２号公報
【特許文献４】特開２００５−３１６３９６号公報
【特許文献５】特開２００６−２６７４２５号公報
【特許文献６】特開２００７−２１９３１５号公報
【特許文献７】特開２００８−３１９５号公報
【特許文献８】特開２００８−１５２５１号公報
【特許文献９】特開２０００−１１１７８９号公報
【特許文献１０】特開２０００−３３３０６４号公報
【発明の開示】
【発明が解決しようとする課題】
【０００４】
特許文献９および特許文献１０記載のレンズ交換式デジタルカメラは、ライブビュー機能を動作させている場合、コントラストＡＦ方式により合焦動作を行う。コントラストＡＦとは、撮像センサからの画像データのコントラスト値に基づく合焦動作である。以下、コントラストＡＦの動作を説明する。
【０００５】
はじめに、レンズ交換式デジタルカメラは、フォーカシングレンズ群を光軸方向に高速で振動させて（以下、「ウォブリング」という）合焦状態からのズレ方向を検出する。ウォブリングの後、レンズ交換式デジタルカメラは、撮像センサの出力信号から画像領域の特定の周波数帯の信号成分を検出して、合焦状態となるフォーカシングレンズ群の最適位置を演算により算出する。その後、レンズ交換式デジタルカメラは、その最適位置にフォーカシングレンズ群を移動させて合焦動作を完了する。動画などで連続して合焦動作を行う場合、レンズ交換式デジタルカメラは、この一連の動作を繰り返す。
【０００６】
一般に、動画の表示は、フリッカなどによる違和感を生じないようにするために、例えば３０フレーム／秒程度の高速で行われる。したがって、レンズ交換式デジタルカメラにおける動画撮影も、基本的には同じ３０フレーム／秒で行わなければならない。そのため、フォーカシングレンズ群は、ウォブリング時に３０Ｈｚの高速に駆動する必要がある。
【０００７】
ところが、フォーカシングレンズ群の重量が大きいと、フォーカシングレンズ群を高速に移動させるモータやアクチュエータが大きくなってしまう。このため、鏡筒の最大径が、大きくなってしまうという問題がある。ところが、特許文献１〜８に記載のズームレンズ系は、フォーカシングレンズ群が軽量とは言い難い。
【０００８】
また、レンズ交換式デジタルカメラは、ウォブリング時に被写体に対応する画像の大きさが変化することに注意する必要がある。画像の大きさの変化は、主に、フォーカシングレンズ群の光軸方向への移動によりレンズ系全体の焦点距離が変化することに起因する。ウォブリングによる撮影倍率の変化が大きい場合、撮影者は違和感を生じてしまう。
【０００９】
本発明の目的は、フォーカシングレンズ群がコンパクトでフォーカシングレンズ群移動時の像倍率変化の小さいズームレンズ系、ズームレンズ系を有する交換レンズ装置、及びカメラシステムを提供することである。
【課題を解決するための手段】
【００１０】
本発明に係るズームレンズ系は、物体側から像側へ向けて順に、正のパワーを有する第１レンズ群と、負のパワーを有する第２レンズ群と、非球面を含み、負のパワーを有する第３レンズ群と、第４レンズ群とを備える。第２レンズ群は、負のパワーを有するレンズ素子と、正のパワーを有するレンズ素子とを少なくとも含む。ズーミングに際して、第２レンズ群と第３レンズ群との空気間隔が広角端より望遠端で長くなるように、第３レンズ群が光軸に沿った方向に移動する。また、フォーカシングに際して、第２レンズ群と第３レンズ群との空気間隔が変化するように、第３レンズ群が光軸に沿った方向に移動する。
【００１１】
また、本発明に係る交換レンズ装置は、上記のズームレンズ系と、ズームレンズ系が形成する光学像を受光して、電気的な画像信号に変換する撮像センサを含むカメラ本体と接続されるカメラマウント部とを備える。
【００１２】
更に、本発明に係るカメラシステムは、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備える。
【発明の効果】
【００１３】
本発明によれば、フォーカシングレンズ群がコンパクトでフォーカシングレンズ群移動時の像倍率変化の小さいズームレンズ系、ズームレンズ系を有する交換レンズ装置、及びカメラシステムを提供することができる。
【発明を実施するための最良の形態】
【００１４】
図１、４、７、１０、１３は、それぞれ、実施の形態１、２、３、４、５に係るズームレンズ系のレンズ配置図であり、いずれも無限遠合焦状態にあるズームレンズ系を表している。
【００１５】
各図において、（ａ）図は広角端（最短焦点距離状態：焦点距離ｆW）のレンズ構成、
（ｂ）図は、中間位置（中間焦点距離状態：焦点距離ｆM＝√（ｆW＊ｆT））のレンズ構
成、（ｃ）図は望遠端（最長焦点距離状態：焦点距離ｆT）のレンズ構成をそれぞれ表し
ている。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。す
なわち、無限遠合焦状態から近接物体合焦状態へのフォーカシングの際の移動方向を示している。
【００１６】
図１、４、７、１０、１３において、特定の面に付されたアスタリスク＊は、該面が非球面であることを示している。また各図において、各レンズ群の符号に付された記号（＋）及び記号（−）は、各レンズ群のパワーの符号に対応する。更に各図において、最も右側に記載された直線は、像面Ｓの位置を表す。像面Ｓの物体側（像面Ｓと第４レンズ群Ｇ４の最も像側のレンズ面との間）には、光学的ローパスフィルタや撮像素子のフェースプレート等と等価な平行平板Ｐが設けられている。更に各図において、第４レンズ群Ｇ４の物体側にはズーミング時に変化しない空気間隔を介して絞りＡが設けられている。
【００１７】
実施の形態１〜５に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４とを備える。
【００１８】
（実施の形態１〜４）
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは接合されている。
【００１９】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。第４レンズ素子Ｌ４の物体側面は、ガラスを材料とするレンズ素子上に、ＵＶ硬化樹脂からなる透明樹脂層を接合したハイブリットレンズである。ハイブリッドレンズは、透明樹脂層の非球面を持つ。これにより、ガラスのみではプレス成形が困難な大口径の非球面を形成することが可能になる。また、レンズ素子を樹脂のみで構成する場合と比較して、温度変化に対して屈折率変化と形状変化の両面で安定で、高屈折率を持つレンズ素子を得ることが可能になる。
【００２０】
第３レンズ群Ｇ３は、両凹形状の第７レンズ素子Ｌ７からなる。第７レンズ素子Ｌ７の両面が非球面である。
【００２１】
第４レンズ群Ｇ４は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１と、両凸形状の第１２レンズ素子Ｌ１２と、両凹形状の第１３レンズ素子Ｌ１３と、両凸形状の第１４レンズ素子Ｌ１４と、像側に凸面を向けた負メニスカス形状の第１５レンズ素子Ｌ１５と、像側に凸面を向けた負メニスカス形状の第１６レンズ素子Ｌ１６と、両凸形状の第１７レンズ素子Ｌ１７とからなる。第９レンズ素子Ｌ９と第１０レンズ素子Ｌ１０が接合され、第１２レンズ素子Ｌ１２と第１３レンズ素子Ｌ１３とが接合され、更に、第１４レンズ素子Ｌ１４と第１５レンズ素子Ｌ１５とが接合されている。また、第８レンズ素子Ｌ８の両面と第１１レンズ素子Ｌ１１の像側面とが非球面である。
【００２２】
（実施の形態５）
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは接合されている。
【００２３】
第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。第４レンズ素子Ｌ４の物体側面は、非球面である。
【００２４】
第３レンズ群Ｇ３は、両凹形状の第７レンズ素子Ｌ７からなる。第７レンズ素子Ｌ７の両面が非球面である。
【００２５】
第４レンズ群Ｇ４は、物体側から像側へと順に、両凸形状の第８レンズ素子Ｌ８と、物体側に凸面を向けた正メニスカス形状の第９レンズ素子Ｌ９と、物体側に凸面を向けた負メニスカス形状の第１０レンズ素子Ｌ１０と、両凸形状の第１１レンズ素子Ｌ１１と、両凸形状の第１２レンズ素子Ｌ１２と、両凹形状の第１３レンズ素子Ｌ１３と、両凸形状の第１４レンズ素子Ｌ１４と、像側に凸面を向けた負メニスカス形状の第１５レンズ素子Ｌ１５と、両凸形状の第１６レンズ素子Ｌ１６と、像側に凸面を向けた負メニスカス形状の第１７レンズ素子Ｌ１７とからなる。第９レンズ素子Ｌ９と第１０レンズ素子Ｌ１０とが接合され、第１２レンズ素子Ｌ１２と第１３レンズ素子Ｌ１３とが接合され、更に、第１６レンズ素子Ｌ１６と第１７レンズ素子Ｌ１７とが接合されている。また、第８レンズ素子Ｌ８の両面と第１５レンズ素子Ｌ１５の像側面とが非球面である。
【００２６】
より詳細には、実施の形態１〜３及び５では、広角端から望遠端へのズーミングに際して、第１レンズ群Ｇ１と第２レンズ群Ｇ２との間隔及び第２レンズ群Ｇ２と第３レンズ群Ｇ３との間隔がそれぞれ増加し、第３レンズ群Ｇ３と第４レンズ群Ｇ４との間隔が減少するように、各レンズ群が光軸に沿って物体側に単調に移動する。実施の形態４では、広角端から望遠端へのズーミングに際して、第１レンズ群Ｇ１と第２レンズ群Ｇ２との間隔が増加し、第２レンズ群Ｇ２と第３レンズ群Ｇ３との間隔が減少した後増加し、第３レンズ群Ｇ３と第４レンズ群Ｇ４との間隔が減少するように、各レンズ群が光軸に沿って物体側に単調に移動する。尚、いずれの実施の形態においても、開口絞りＡは、第４レンズ群Ｇ４と共に物体側に移動する。
【００２７】
また、無限遠合焦状態から近接合焦状態へのフォーカシング時には、第３レンズ群Ｇ３が光軸に沿って物体側へと移動する。
【００２８】
動画撮影を可能とするため、フォーカシングレンズ群にはウォブリング動作時の高速な応答性が要求される。上記の各実施の形態に係るズームレンズ系では、第３レンズ群Ｇ３を１枚のレンズ素子で構成することによって、フォーカシングレンズ群の軽量化及び高速な応答性が実現されている。ただし、フォーカシングレンズ群を必ずしも１枚のレンズ素子のみで構成する必要はなく、アクチュエータのトルク性能に余裕がある場合には、２枚のレンズ素子でフォーカシングレンズ群を構成しても良い。また、無限遠から至近距離にかけての性能変動量を抑えるため、フォーカシングレンズ群には非球面が設けられている。非球面は、複合非球面としても良い。
【００２９】
また、実施の形態１〜８に係るズームレンズ系では、第４レンズ群Ｇ４は、最も物体側に配置され、正のパワーを有する第１サブレンズ群と、第１サブレンズ群よりも像側に配置され、負のパワーを有する第２サブレンズ群と、最も像側に配置され、正のパワーを有する第３サブレンズ群とを含む。尚、サブレンズ群とは、１つのレンズ群が複数のレンズ素子で構成されている場合に、当該レンズ群に含まれるいずれか１枚のレンズ素子または隣り合った複数のレンズ素子の組み合わせをいう。
【００３０】
より特定的には、実施の形態１〜８では、第４レンズ群Ｇ４に含まれる第８レンズ素子Ｌ８と、第９レンズ素子Ｌ９と、第１０レンズ素子Ｌ１０と、第１１レンズ素子Ｌ１１と
が第１サブレンズ群を構成し、第１２レンズ素子Ｌ１２と第１３レンズ素子Ｌ１３とが第２サブレンズ群を構成し、更に、第１４レンズ素子Ｌ１４と、第１５レンズ素子Ｌ１５と、第１６レンズ素子Ｌ１６と、第１７レンズ素子Ｌ１７とが第３サブレンズ群を構成する。
【００３１】
ズームレンズ加わる振動に起因する像ぶれを補正する像ぶれ補正に際して、第２サブレンズ群が光軸に直交する方向に移動して、全系の振動に起因する像点移動を補正する。
【００３２】
十分な光学的像ぶれ補正効果を得るためには、光軸に直交する方向に移動するサブレンズ群の高速な応答性が要求される。実施の形態１〜５では、像点移動を補正するための第２サブレンズ群を２枚のレンズ素子によって構成することによって、サブレンズ群の軽量化及び高速な応答性が実現されている。このように２枚のレンズ素子で像ぶれ補正用サブレンズ群を構成した場合、撮像面上の対角方向の像高において像ぶれ補正時に発生する像面湾曲差や色収差を許容範囲内に留め、所望の結像性能を得ることができる。ただし、像ぶれ補正用のサブレンズ群の構成は、ズームレンズ系に要求される性能に応じて異なり、像面湾曲差や色収差の許容範囲が広い場合には、像ぶれ補正用のサブレンズ群を１枚のレンズ素子で構成しても良い。
【００３３】
以下、各実施の形態に係るズームレンズ系が満足すべき条件を説明する。なお、各実施の形態に係るズームレンズ系において、複数の満足すべき条件が規定されるが、適合する条件をできるだけ多く満足するズームレンズ系の構成が最も望ましい。しかしながら、個別の条件を満足することにより、それぞれ対応する効果を奏するズームレンズ系を得ることも可能である。
【００３４】
各実施の形態に係るズームレンズ系は、以下の条件を満足することが望ましい。
０．６＜ｆ4A／ｆ4α＜１．０  ・・・（１）
ここで、
ｆ4A：第４レンズ群が正のパワーを有する第１サブレンズ群と、第１サブレンズ群より像側に配置され、負のパワーを有する第２サブレンズ群とを含む場合において、第１サブレンズ群の焦点距離、
ｆ4α：第４レンズ群以降のレンズ群の広角端での合成焦点距離、
である。
【００３５】
条件（１）は、第４レンズ群に含まれる第１サブレンズ群の焦点距離と、第４レンズ群以降のレンズ群の焦点距離との比を規定する。条件（１）の上限を超えると、広角端の像面湾曲がアンダーへ過大となるので望ましくない。また、条件（１）の下限を下回ると、バックフォーカスが長くなり、全長をコンパクトにできなくなる。
【００３６】
各実施の形態に係るズームレンズ系は、以下の条件を満足することが望ましい。
０．６＜ｆ4Ob／ｆ4α＜１．０  ・・・（２）
ここで、
ｆ4Ob：第４レンズ群が、物体側から像側へと順に、正のパワーを有するレンズ素子と、
正のパワーを有するレンズ素子と、負のパワーを有するレンズ素子と、正のパワーを有するレンズ素子とを含む場合において、これらのレンズ素子の合成焦点距離、
ｆ4α：第４レンズ群以降のレンズ群の広角端での合成焦点距離、
である。
【００３７】
条件（２）は、第４レンズ群内で最も物体側に配置される４枚のレンズ素子の合成焦点距離と、第４レンズ群以降のレンズ群の焦点距離との比を規定する。条件（２）の上限を超えると、広角端の像面湾曲がアンダーへ過大となるので望ましくない。また、条件（２
）の下限を下回ると、バックフォーカスが長くなり、全長をコンパクトにできなくなる。
【００３８】
各実施の形態に係るズームレンズ系は、以下の条件を満足することが望ましい。
−１．５＜ｆ4B／ｆ4α＜−０．９  ・・・（３）
ここで、
ｆ4B：第４レンズ群が正のパワーを有する第１サブレンズ群と、第１サブレンズ群より像側に配置され、負のパワーを有する第２サブレンズ群とを含む場合において、第２サブレンズ群の焦点距離、
ｆ4α：第４レンズ群以降のレンズ群の広角端での合成焦点距離、
である。
【００３９】
条件（３）は、第４レンズ群に含まれる第２サブレンズ群の焦点距離と、第４レンズ群以降のレンズ群の焦点距離との比を規定する。像ぶれ補正のために光軸に直交する方向に第２サブレンズ群を移動させる場合、条件（３）の上限を超えると、ぶれ補正量が増大して、ぶれ補正機構の大型化に繋がるので望ましくない。また、条件（３）の下限を下回ると、ぶれ補正時の敏感度が高くなり、ぶれ補正を行う上で必要な位置制御の精度確保が困難となるので望ましくない。
【００４０】
各実施の形態に係るズームレンズ系は、以下の条件を満足することが望ましい。
３．０＜ｆ4Im／ｆ4α＜４．５  ・・・（４）
ここで、
ｆ4Im：第４レンズ群が、像側から物体側へと順に、正のパワーを有するレンズ素子と、
負のパワーを有するレンズ素子と、負のパワーを有するレンズ素子と、正のパワーを有するレンズ素子とを含む場合において、これらのレンズ素子の合成焦点距離、
ｆ4α：第４レンズ群以降のレンズ群の広角端での合成焦点距離、
である。
【００４１】
条件（４）は、第４レンズ群内で最も物体側に配置される４枚のレンズ素子の合成焦点距離と第４レンズ群以降のレンズ群の焦点距離との比を規定する。条件（４）の上限を超えると、広角端の歪曲収差がオーバーへ過大となるので望ましくない。また、条件（４）の下限を下回ると、バックフォーカスが長くなり、全長をコンパクトにできなくなる。
【００４２】
各実施の形態に係るズームレンズ系は、以下の条件を満足することが望ましい。
１．０＜ｆ4α／ｆW＜１．５  ・・・（５）
ここで、
ｆ4α：第４レンズ群以降のレンズ群の広角端での合成焦点距離、
ｆW：全系の広角端での焦点距離、
である。
【００４３】
条件（５）は、第４レンズ群以降のレンズ群の焦点距離を規定する。条件（５）の上限を超えると、撮像面に対する入射角度が大きくなりテレセントリック性の確保が困難となる。また、条件（５）の下限を下回ると、フランジバックが確保できないので望ましくない。
【００４４】
各実施の形態に係るズームレンズ系は、以下の条件を満足することが望ましい。
−１．６＜ｆF／ｆ4α＜−０．７  ・・・（６）
ここで、
ｆF：フォーカシングレンズ群の焦点距離、
ｆ4α：第４レンズ群以降のレンズ群の広角端での合成焦点距離、
である。
【００４５】
条件（６）は、フォーカシングレンズ群の焦点距離と、第４レンズ群以降のレンズ群の焦点距離との比を規定する。条件（６）の上限を超えると、フォーカス時に像面湾曲の変動量が大きくなるので望ましくない。また、条件（６）の下限を下回ると、フォーカス時の移動量が大きい場合に、光学系の増大化を招くので望ましくない。
【００４６】
各実施の形態に係るズームレンズ系は、以下の条件を満足することが望ましい。
１２＜ｆ1＊（ｆT／ｆW）／√（ｆW＊ｆT）＜２７  ・・・（７）
ここで、
ｆ1：第１レンズ群の焦点距離、
ｆT：全系の望遠端での焦点距離、
ｆW：全系の広角端での焦点距離、
である。
【００４７】
条件（７）は、第１レンズ群の焦点距離と全系の焦点距離との関係を規定する。条件（７）の上限を超えると、広角端から望遠端にかけての１群移動量の増加に繋がり、その結果、カムの交角（圧力角）が急になりカムの負荷変動を招くので望ましくない。また、条件（７）の下限を下回ると、第１レンズ群で発生する倍率色収差を後続するレンズ群で補正困難となるので望ましくない。
【００４８】
各実施の形態に係るズームレンズ系は、以下の条件を満足することが望ましい。
−２０＜ｆ2＊（ｆT／ｆW）／√（ｆW＊ｆT）＜−６  ・・・（８）
ここで、
ｆ2：第２レンズ群の焦点距離、
ｆT：全系の望遠端での焦点距離、
ｆW：全系の広角端での焦点距離、
である。
【００４９】
条件（８）は、第２レンズ群の焦点距離と全系の焦点距離との関係を規定する。条件（８）の上限を超えると、第２レンズ群の負のパワーが強くなりすぎ、像面湾曲がアンダー傾向となり、この結果、変倍時の広角端と望遠端との周辺像面格差が大きくなるため好ましくない。また、条件（８）の下限を下回ると、第２レンズ群の負のパワーが弱くなりすぎ、像面湾曲がオーバー傾向となり、この結果、変倍時の広角端と望遠端との周辺像面格差が大きくなるため好ましくない。
【００５０】
各実施の形態に係るズームレンズ系は、以下の条件を満足することが望ましい。
０．５＜δｔ1／ｆ1＜１．１  ・・・（９）
ここで、
δｔ1：広角端から望遠端にかけての第１レンズ群の移動量（ただし、広角端の位置を基
準とし、基準位置より物体側への繰り出しを正の値とする）、
ｆ1：第１レンズ群の焦点距離、
である。
【００５１】
条件（９）は、第１レンズ群の光軸方向の移動量を規定する。条件（９）の上限を超えると、第１レンズ群の移動機構をカムで構成した場合、カム溝のカム曲線を滑らかに形成することが困難となる。また、条件（９）の下限を下回ると、広角端での全長が長くなるか、望遠端での全長が短くなる。広角端での全長が長くなると、前玉径が大きくなるので望ましくない。一方、望遠端の全長が短くなると、第１レンズ群の敏感度が高くなるので製造上望ましくない。
【００５２】
各実施の形態に係るズームレンズ系は、以下の条件を満足することが望ましい。
−０．７＜δｔ2／ｆ2＜−０．２  ・・・（１０）
ここで、
δｔ2：広角端から望遠端にかけての第２レンズ群の移動量（ただし、広角端の位置を基
準とし、基準位置より物体側への繰り出しを正の値とする）、
ｆ2：第２レンズ群の焦点距離、
である。
【００５３】
条件（１０）は、第２レンズ群の光軸方向の移動量を規定する。条件（１０）の上限を超えると、入射瞳位置が像面側へ深くなり、前玉径の増大を招くので望ましくない。また、条件（１０）の下限を下回ると、第２レンズ群のパワーが増大し、収差補正が困難となる。仮に収差補正を行おうとすると、レンズ枚数の増加を招くので望ましくない。
【００５４】
各実施の形態に係るズームレンズ系は、以下の条件を満足することが望ましい。
−１．２＜δｔ3／ｆ3＜−０．４  ・・・（１１）
ここで、
δｔ3：広角端から望遠端にかけての第３レンズ群の移動量（ただし、広角端の位置を基
準とし、基準位置より物体側への繰り出しを正の値とする）、
ｆ3：第３レンズ群の焦点距離、
である。
【００５５】
条件（１１）は、第３レンズ群の光軸方向の移動量を規定する。条件（１１）の上限を超えると、フォーカシング用のアクチュエータの大型化に繋がるので望ましくない。また、条件（１１）の下限を下回ると、第３レンズ群のパワーが増大し、偏心による敏感度が高くなるので望ましくない。
【００５６】
各実施の形態に係るズームレンズ系は、以下の条件を満足することが望ましい。
１．２＜δｔ4／ｆ4＜２．０  ・・・（１２）
ここで、
δｔ4：広角端から望遠端にかけての第４レンズ群の移動量（ただし、広角端の位置を基
準とし、基準位置より物体側への繰り出しを正の値とする）、
ｆ4：第４レンズ群の焦点距離、
である。
【００５７】
条件（１２）は、第４レンズ群の光軸方向の移動量を規定する。条件（１２）の上限を超えると、望遠端での全系の全長が長くなるため、広角端から望遠端にかけての第１レンズ群の移動量が増加する。第１レンズ群の移動機構をカムで構成する場合、カムの交角（圧力角）が急になりカムの負荷変動を招くので望ましくない。また、条件（１２）の下限を下回ると、第２レンズ群のパワーが増大し、広角端から望遠端にかけての像面湾曲の収差変動が増大し、その補正が困難となるので望ましくない。
【００５８】
各実施の形態に係るズームレンズ系は、以下の条件を満足することが望ましい。
−２５＜β2T／β2W＜３４  ・・・（１３）
ここで、
β2T：望遠端における第２レンズ群の近軸結像倍率、
β2W：広角端における第２レンズ群の近軸結像倍率、
である。
【００５９】
条件（１３）は、第２レンズ群の倍率変化を規定する。条件（１３）の上限を超えると、広角端から望遠端にかけての収差補正が困難となるので望ましくない。また、条件（１
３）の下限を下回ると、広角端から望遠端にかけての第２レンズ群の移動量が増加し、全系の全長が長くなるので望ましくない。
【００６０】
各実施の形態に係るズームレンズ系は、以下の条件を満足することが望ましい。
−８＜β3T／β3W＜０．２  ・・・（１４）
ここで、
β3T：望遠端における第３レンズ群の近軸結像倍率、
β3W：広角端における第３レンズ群の近軸結像倍率、
である。
【００６１】
条件（１４）は、第３レンズ群の倍率変化を規定する。条件（１４）の上限を超えると、第３レンズ群のパワーが強くなり、フォーカス時に像の変動量が大きくなるので望ましくない。また、条件（１４）の下限を下回ると、第３レンズ群のパワーが小さくなり、フォーカス時の移動量が大きくなるので望ましくない。
【００６２】
各実施の形態に係るズームレンズ系は、以下の条件を満足することが望ましい。
２＜β4T／β4W＜３．２  ・・・（１５）
ここで、
β4T：望遠端における第４レンズ群の近軸結像倍率、
β4W：広角端における第４レンズ群の近軸結像倍率、
である。
【００６３】
条件（１５）は、第４レンズ群の倍率変化を規定する。条件（１５）の上限を超えると、広角端で撮像面に入射する光線の入射角度が大きくなり、テレセントリック性の確保が困難となるので望ましくない。また、条件（１５）の下限を下回ると、広角端でバックフォーカスが長くなるため、全系をコンパクトに構成することが困難となるので望ましくない。
【００６４】
各実施の形態に係るズームレンズ系に含まれるフォーカシングレンズ群が非球面を有する場合、以下の条件を満足することが望ましい。
−０．３＜ｆF＊βFW＊βFW／（δｓF＊ｆT／ｆW）＜７．０  ・・・（１６）
ここで、
ｆF：フォーカシングレンズ群の焦点距離、
βFW：フォーカシングレンズ群の広角端での近軸結像倍率、
δｓF：フォーカシングレンズ群の中で最も物体側に位置する非球面の光軸から０．５＊
ｆW＊ｔａｎωWの高さでの非球面変形量、
ｆT：全系の望遠端での焦点距離、
ｆW：全系の広角端での焦点距離、
ωW：広角端の半画角、
である。
【００６５】
条件（１６）は、フォーカシングレンズ群の近軸結像倍率と非球面収差量との関係を規定する。条件（１６）の上限を超えると、望遠端の無限遠から至近距離にかけての非点収差及び球面収差がアンダー側へ増大してしまうため、収差補正上望ましくない。また、条件（１６）の下限を下回ると、加工誤差に対する収差敏感度が高くなり、製造上のバラつきに起因する像面湾曲の変動が大きくなるので望ましくない。
【００６６】
各実施の形態に係るズームレンズ系は、以下の条件を満足することが望ましい。
−１．７＜ＤＩＳW＊ｆT／ｆW＜−０．５  ・・・（１７）
ここで、
ＤＩＳW：広角端における最大像高の歪曲収差量、
ｆT：全系の望遠端での焦点距離、
ｆW：全系の広角端での焦点距離、
である。
【００６７】
条件（１７）は、歪曲収差量と変倍比との関係を規定する。カメラシステムにディストーション補正システムが搭載される場合、条件（１７）の上限を超えると、当該システムによる全長短縮メリットを生かすことができないので望ましくない。また、条件（１７）の下限を下回ると、ディストーション補正プロセスでの画像拡大率が増大し、解像度劣化を招くので望ましくない。
【００６８】
各実施の形態に係るズームレンズ系は、以下の条件を満足することが望ましい。
１．８８＜ｎｄ2  ・・・（１８）
ここで、
ｎｄ2：第２レンズ群に含まれるレンズ素子（ハイブリッドレンズの場合は、樹脂層を除
いた部分）の平均屈折率、
である。
【００６９】
条件（１８）の下限を下回ると、レンズの曲率が小さくなることで主に広角端での歪曲収差が増大し、当該収差の補正が困難となるので望ましくない。
【００７０】
尚、各実施の形態に係るズームレンズ系の各レンズ群は、入射光線を屈折により変更させる屈折型レンズ素子（つまり、異なる屈折率を有する媒質同士の界面で偏向が行われるタイプのレンズ）のみで構成しても良いし、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類または複数種類の組み合わせによって各レンズ群を構成して良い。
【００７１】
図１６は、実施の形態６に係るカメラシステムの概略構成図である。
【００７２】
本実施の形態に係るカメラシステム１００は、カメラ本体１０１と、カメラ本体１０１に着脱自在に接続される交換レンズ装置２０１とを備える。
【００７３】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、上記の実施の形態１〜５のいずれかに係るズームレンズ系２０２と、ズームレンズ系２０２を保持する鏡筒と、カメラ本体のカメラマウント部１０４に接続されるレンズマウント部２０４とを含む。カメラマウント部１０４及びレンズマウント部２０４は、物理的な接続のみならず、カメラ本体内１０１のコントローラ（図示せず）と交換レンズ装置２０１内のコントローラ（図示せず）とを電気的に接続し、相互の信号のやり取りを可能とするインターフェースとしても機能する。
【００７４】
本実施の形態に係るカメラシステム１００は、実施の形態１〜５のいずれかに係るズームレンズ系２０２を備えているので、ライブビュー状態でのフォーカシング時に良好な光学像を表示することができる。
【実施例】
【００７５】
以下、実施の形態１〜５に係るズームレンズ系を具体的に実施した数値実施例を説明す
る。後述するように、数値実施例１〜５は、それぞれ実施の形態１〜５に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００７６】
【数１】
2010175959.tif 000003
ただし、数式中の各項によって表される事項は以下の通りである。
Ｚ：光軸からの高さがｈの非球面上の点から、非球面頂点の接平面までの距離
ｈ：光軸からの高さ
ｒ：頂点曲率半径
κ：円錐定数
Ａn：ｎ次の非球面係数
【００７７】
図２、５、８、１１、１４は、それぞれ数値実施例１、２、３、４、５に係るズームレンズ系の無限遠合焦状態の縦収差図である。
【００７８】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００７９】
図３、６、９、１２、１５は、それぞれ数値実施例１、２、３、４、５に係るズームレンズ系の像ぶれ補正を行っていない基本状態及び像ぶれ補正状態での横収差図である。
【００８０】
各横収差図において、上段３つの収差図は、望遠端における像ぶれ補正を行っていない基本状態、下段３つの収差図は、第４レンズ群Ｇ４に含まれる像ぶれ補正用のサブレンズ群（第１サブレンズ群または第２サブレンズ群）を光軸と垂直な方向に所定量移動させた望遠端における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【００８１】
なお、各数値実施例のズームレンズ系について、望遠端における、像ぶれ補正状態での補正レンズ群の光軸と垂直な方向への移動量（ＹT（ｍｍ））は、以下に示す通りである
。
【００８２】
表１  （補正レンズ群の移動量）
【表１】
2010175959.tif 000004
【００８３】
（数値実施例１）
数値実施例１のズームレンズ系は、図１に示した実施の形態１に対応する。数値実施例１のズームレンズ系の面データを表２に、非球面データを表３に、各種データを表４に、単レンズデータを表５に、ズームレンズ群データを表６に、ズームレンズ群倍率を表７に示す。
【００８４】
表２  （面データ）
面番号         r           d           nd         vd
物面             ∞
1         93.29160     1.49730     1.84666    23.8 
2         50.82680     7.10180     1.49700    81.6 
3       -850.01520     0.15000 
4         47.79330     5.18430     1.71300    53.9 
5        149.47070        可変
6*        76.05160     0.10000     1.51358    51.6 
7         53.79460     1.10000     1.88300    40.8 
8         11.90020     6.30730 
9        -20.07120     0.83030     1.88300    40.8 
10        -51.30870     0.87050 
11         31.52170     3.39400     1.94595    18.0 
12        -51.59310        可変
13*       -19.66880     1.20040     1.80470    41.0 
14*       129.88760        可変
15(絞り)           ∞     0.84560
16*        23.65630     3.02980     1.69350    53.2 
17*       -55.43650     2.59200 
18         15.08640     3.25030     1.71300    53.9 
19       -200.75790     0.81020     2.00069    25.5 
20         15.26070     1.91050 
21         31.27490     5.91480     1.59201    67.0 
22*       -20.38770     0.89910 
23         88.68500     2.96870     1.80518    25.5 
24        -13.73040     0.80000     1.83481    42.7 
25         16.65510     2.35020 
26         23.27780     4.19350     1.49700    81.6 
27        -14.99240     0.80000     1.83481    42.7 
28        -57.80160     1.35890 
29        -14.16000     0.80000     1.72916    54.7 
30        -26.58250     0.10000 
31         32.36170     3.20070     1.51680    64.2 
32        -81.55460        可変
33               ∞     4.20000     1.51680    64.2
34               ∞      BF
像面             ∞
【００８５】
表３  （非球面データ）
第6面
K=-9.51780E-01, A4= 2.71746E-05, A6=-1.19865E-08, A8=-8.37911E-10
A10= 5.57759E-12, A12=-1.15782E-14 
第13面
K= 0.00000E+00, A4=-3.91729E-05, A6= 1.79189E-06, A8=-3.13080E-08
A10= 1.39737E-10, A12= 2.27477E-12 
第14面
K=-1.79163E-01, A4=-4.45555E-05, A6= 2.19191E-06, A8=-5.22554E-08
A10= 5.17499E-10, A12=-1.04173E-13 
第16面
K= 0.00000E+00, A4=-1.12821E-05, A6= 1.40905E-07, A8=-2.71306E-09
A10=-7.19478E-11, A12=-7.19829E-15 
第17面
K= 0.00000E+00, A4= 2.44778E-05, A6=-3.84078E-08, A8= 1.18435E-09
A10=-1.10289E-10, A12= 7.33811E-15 
第22面
K= 0.00000E+00, A4= 1.81139E-05, A6=-5.84158E-08, A8= 6.50501E-09
A10=-6.84134E-11, A12= 0.00000E+00 
【００８６】
表４  （各種データ）
ズーム比     9.33675
広角      中間      望遠
焦点距離      14.4919   44.3151  135.3070
Ｆナンバー     4.00318   5.40622   5.99766
画角        39.8611   13.7123    4.5845
像高        10.8150   10.8150   10.8150
レンズ全長    101.9455  132.7027  162.8905
ＢＦ        2.80549   2.83204   2.87020
d5           0.6596   22.5410   41.6141 
d12          2.8371    3.0868    6.1035 
d14         18.4343    8.8238    2.7427 
d32          9.4488   27.6589   41.7998 
入射瞳位置     25.3181   78.7228  223.8111
射出瞳位置    -37.3774  -55.5875  -69.7284
前側主点位置   34.5835   89.4220  106.9372
後側主点位置   87.4536   88.3877   27.5835
【００８７】
表５  （単レンズデータ）
レンズ     始面     焦点距離
1         1     -134.0520
2         2       96.7509
3         4       96.4914
4         6      -16.6778
5         9      -37.8072
6        11       21.1040
7        13      -21.1522
8        16       24.2899
9        18       19.8043
10        19      -14.1462
11        21       21.7746
12        23       14.9598
13        24       -8.9085
14        26       19.0411
15        27      -24.4565
16        29      -42.7154
17        31       45.2638
【００８８】
表６  （ズームレンズ群データ）
群   始面    焦点距離  レンズ構成長    前側主点位置  後側主点位置
1      1    76.72300    13.93340         3.26962       8.46360
2      6   -46.93302    12.60210       -10.83666     -15.28913
3     13   -21.15218     1.20040         0.08717       0.62478
4     15    19.37772    35.82430         0.10418      10.76940
【００８９】
表７  （ズームレンズ群倍率）
群   始面    広角       中間       望遠
1      1    0.00000    0.00000    0.00000
2      6   -1.36049   -3.72016    7.26826
3     13    0.12997    0.07727   -0.08852
4     15   -1.06826   -2.00938   -2.74110
【００９０】
（数値実施例２）
数値実施例２のズームレンズ系は、図４に示した実施の形態２に対応する。数値実施例２のズームレンズ系の面データを表８に、非球面データを表９に、各種データを表１０に、単レンズデータを表１１に、ズームレンズ群データを表１２に、ズームレンズ群倍率を表１３に示す。
【００９１】
表８  （面データ）
面番号         r           d           nd         vd
物面             ∞
1         92.44320     1.50040     1.84666    23.8 
2         50.47000     6.96430     1.49700    81.6 
3       -847.86000     0.15000 
4         47.25220     5.18030     1.71300    53.9 
5        145.99490        可変
6*        76.11200     0.10120     1.51358    51.6 
7         53.78650     1.10000     1.88300    40.8 
8         11.89720     6.31220 
9        -19.99880     0.83260     1.88300    40.8 
10        -51.23580     0.87230 
11         31.55930     3.41140     1.94595    18.0 
12        -51.41040        可変
13*       -19.63500     1.20060     1.80470    41.0 
14*       130.38440        可変
15(絞り)           ∞     0.84590
16*        23.66010     3.04770     1.69350    53.2 
17*       -55.50020     2.53870 
18         15.07960     3.25040     1.71300    53.9 
19       -200.13220     0.81020     2.00069    25.5 
20         15.26060     1.91230 
21         31.28720     5.87150     1.59201    67.0 
22*       -20.38280     0.89910 
23         88.69790     2.96860     1.80518    25.5 
24        -13.74920     0.80050     1.83481    42.7 
25         16.65470     2.35520 
26         23.28540     4.19220     1.49700    81.6 
27        -15.00380     0.80660     1.83481    42.7 
28        -57.73780     1.34160 
29        -14.16980     0.82280     1.72916    54.7 
30        -26.59680     0.14240 
31         32.16560     3.16330     1.51680    64.2 
32        -83.11460        可変
33               ∞     4.20000     1.51680    64.2
34               ∞      BF
像面             ∞
【００９２】
表９  （非球面データ）
第6面
K=-8.65420E-01, A4= 2.71985E-05, A6=-1.27416E-08, A8=-8.47671E-10
A10= 5.59117E-12, A12=-1.03453E-14 
第13面
K= 0.00000E+00, A4=-3.92219E-05, A6= 1.79165E-06, A8=-3.13018E-08
A10= 1.39699E-10, A12= 2.24266E-12 
第14面
K= 5.23028E-01, A4=-4.45154E-05, A6= 2.19210E-06, A8=-5.22781E-08
A10= 5.16605E-10, A12=-1.29893E-13 
第16面
K= 0.00000E+00, A4=-1.12931E-05, A6= 1.40885E-07, A8=-2.71412E-09
A10=-7.20168E-11, A12=-9.67929E-15 
第17面
K= 0.00000E+00, A4= 2.44916E-05, A6=-3.83424E-08, A8= 1.18545E-09
A10=-1.10236E-10, A12= 9.17521E-15 
第22面
K= 4.76603E-05, A4= 1.81709E-05, A6=-5.78282E-08, A8= 6.49528E-09
A10=-6.93375E-11, A12= 0.00000E+00 
【００９３】
表１０  （各種データ）
ズーム比     9.35820
広角      中間      望遠
焦点距離      14.4939   44.3129  135.6373
Ｆナンバー     4.00335   5.40554   5.99765
画角        39.9177   13.7265    4.5757
像高        10.8150   10.8150   10.8150
レンズ全長    101.6672  132.4129  161.5468
ＢＦ        2.80409   2.82823   2.86170
d5           0.6595   22.4493   41.6494 
d12          2.6575    3.0940    6.3380 
d14         18.4611    8.8422    2.7298 
d32          9.4907   27.6049   40.3736 
入射瞳位置     25.1796   78.8630  230.4632
射出瞳位置    -37.4743  -55.5885  -68.3572
前側主点位置   34.4580   89.5616  107.7774
後側主点位置   87.1732   88.1000   25.9095
【００９４】
表１１  （単レンズデータ）
レンズ     始面     焦点距離
1         1     -133.4756
2         2       96.0920
3         4       95.8923
4         6      -16.6715
5         9      -37.6192
6        11       21.0941
7        13      -21.1314
8        16       24.3029
9        18       19.7920
10        19      -14.1429
11        21       21.7676
12        23       14.9778
13        24       -8.9151
14        26       19.0518
15        27      -24.4932
16        29      -42.7860
17        31       45.2974
【００９５】
表１２  （ズームレンズ群データ）
群   始面    焦点距離  レンズ構成長    前側主点位置  後側主点位置
1      1    76.12978    13.79500         3.16804       8.32000
2      6   -46.72192    12.62970       -10.78714     -15.22577
3     13   -21.13139     1.20060         0.08676       0.62446
4     15    19.40387    35.76900         0.15790      10.71360
【００９６】
表１３  （ズームレンズ群倍率）
群   始面    広角       中間       望遠
1      1    0.00000    0.00000    0.00000
2      6   -1.37173   -3.80760    6.74257
3     13    0.13000    0.07635   -0.09926
4     15   -1.06759   -2.00237   -2.66214
【００９７】
（数値実施例３）
数値実施例３のズームレンズ系は、図７に示した実施の形態３に対応する。数値実施例３のズームレンズ系の面データを表１４に、非球面データを表１５に、各種データを表１６に、単レンズデータを表１７に、ズームレンズ群データを表１８に、ズームレンズ群倍率を表１９に示す。
【００９８】
表１４  （面データ）
面番号         r           d           nd         vd
物面             ∞
1         87.57360     1.50040     1.84666    23.8 
2         49.16650     5.95510     1.49700    81.6 
3      -2809.37530     0.15000 
4         47.74460     4.98760     1.71300    53.9 
5        153.09470        可変
6*        73.99720     0.10000     1.51358    51.6 
7         52.32450     1.10000     1.88300    40.8 
8         11.87980     6.08650 
9        -19.94860     0.80350     1.88300    40.8 
10        -51.95340     0.84480 
11         29.62330     2.59210     1.94595    18.0 
12        -56.59100        可変
13*       -19.86560     1.20660     1.80420    46.5 
14*       121.10780        可変
15(絞り)           ∞     0.81880
16*        23.31780     2.36020     1.69400    56.3 
17*       -61.41970     1.01400 
18         14.71050     3.27940     1.71300    53.9 
19       -214.88630     0.84300     2.00069    25.5 
20         15.15610     1.61840 
21         29.47780     4.92500     1.59201    67.0 
22*       -21.29430     0.94140 
23         84.78160     3.00080     1.80519    25.4 
24        -13.99680     0.83390     1.83481    42.7 
25         16.54600     1.65990 
26         22.59390     4.20830     1.49700    81.6 
27        -15.32610     0.80000     1.83481    42.7 
28        -61.45340     1.49380 
29        -15.39840     0.80000     1.72600    53.4 
30        -31.40970     0.10000 
31         36.45700     2.50420     1.51633    64.0 
32        -64.85300        可変
33               ∞     4.20000     1.51680    64.2
34               ∞      BF
像面             ∞
【００９９】
表１５  （非球面データ）
第6面
K=-4.63021E+00, A4= 2.48887E-05, A6=-8.40845E-08, A8=-7.99164E-10
A10= 8.24811E-12, A12=-1.11332E-14 
第13面
K= 0.00000E+00, A4=-4.90964E-05, A6= 1.59884E-06, A8=-3.80642E-08
A10= 1.89425E-11, A12= 6.27292E-12 
第14面
K=-4.80635E+01, A4=-4.73983E-05, A6= 1.93516E-06, A8=-5.59716E-08
A10= 5.06744E-10, A12= 7.60511E-13 
第16面
K= 0.00000E+00, A4=-8.98901E-06, A6= 1.86825E-07, A8=-2.18893E-09
A10=-6.51294E-11, A12=-7.88436E-14 
第17面
K= 0.00000E+00, A4= 2.49414E-05, A6=-5.17973E-08, A8= 1.07578E-09
A10=-1.09559E-10, A12= 2.62430E-13 
第22面
K= 0.00000E+00, A4= 3.00044E-05, A6= 9.15117E-08, A8= 7.25391E-09
A10=-7.93499E-11, A12= 0.00000E+00 
【０１００】
表１６  （各種データ）
ズーム比     9.74613
広角      中間      望遠
焦点距離      13.8816   44.3100  135.2916
Ｆナンバー     4.00307   5.40538   5.99705
画角        43.0929   13.7615    4.5780
像高        10.8150   10.8150   10.8150
レンズ全長     95.0223  125.9994  155.4293
ＢＦ       10.69149  10.71602  10.74727
d5           0.6598   22.7406   41.7210 
d12          2.0929    3.2189    7.1676 
d14         18.9120    8.7968    2.7269 
d32          1.9384   19.7994   32.3388 
入射瞳位置     23.9379   78.2752  229.2315
射出瞳位置    -25.6011  -43.4621  -56.0015
前側主点位置   32.5099   86.3459   90.3034
後側主点位置   81.1407   81.6894   20.1377
【０１０１】
表１７  （単レンズデータ）
レンズ     始面     焦点距離
1         1     -134.8246
2         2       97.2929
3         4       95.4300
4         6      -16.7536
5         9      -37.1102
6        11       20.8607
7        13      -21.1407
8        16       24.6347
9        18       19.4254
10        19      -14.1219
11        21       21.6649
12        23       15.1251
13        24       -8.9715
14        26       19.0767
15        27      -24.6532
16        29      -42.5012
17        31       45.5830
【０１０２】
表１８  （ズームレンズ群データ）
群   始面    焦点距離  レンズ構成長    前側主点位置  後側主点位置
1      1    76.29653    12.59310         2.55334       7.29477
2      6   -44.71579    11.52690        -9.49042     -13.10859
3     13   -21.14067     1.20660         0.09388       0.63425
4     15    18.47165    31.20110        -0.89867       9.45045
【０１０３】
表１９  （ズームレンズ群倍率）
群   始面    広角       中間       望遠
1      1    0.00000    0.00000    0.00000
2      6   -1.27348   -3.43117    7.51757
3     13    0.14129    0.08551   -0.08868
4     15   -1.01117   -1.97943   -2.65997
【０１０４】
（数値実施例４）
数値実施例４のズームレンズ系は、図１０に示した実施の形態４に対応する。数値実施例４のズームレンズ系の面データを表２０に、非球面データを表２１に、各種データを表２２に、単レンズデータを表２３に、ズームレンズ群データを表２４に、ズームレンズ群倍率を表２５に示す。
【０１０５】
表２０  （面データ）
面番号         r           d           nd         vd
物面             ∞
1         99.13980     2.33470     1.84666    23.8 
2         52.37110     6.32020     1.49700    81.6 
3       -925.21640     0.15000 
4         50.90000     6.04860     1.70030    47.8 
5        202.89160        可変
6*       152.65080     0.10000     1.51358    51.6 
7        100.84460     1.10000     1.89800    34.0 
8         13.12860     6.11220 
9        -20.13630     0.80270     1.88300    40.8 
10        -48.43050     0.81260 
11         31.27340     2.98540     1.94595    18.0 
12        -72.10650        可変
13*       -22.74160     1.21130     1.69385    53.1 
14*        82.01060        可変
15(絞り)           ∞     0.78470
16*        23.93290     2.51070     1.69200    50.6 
17*       -43.28550     2.32970 
18         16.54990     3.17420     1.71300    53.9 
19       -158.78700     0.80930     2.00069    25.5 
20         15.49850     1.59880 
21         34.82310     6.01540     1.59201    67.0 
22*       -18.77570     0.80130 
23        102.39450     2.86260     1.80486    24.7 
24        -13.35880     0.81220     1.83481    42.7 
25         16.79090     2.77270 
26         25.43580     4.02130     1.49700    81.6 
27        -13.97530     0.80000     1.83770    42.0 
28        -49.24400     1.17460 
29        -15.17760     0.80000     1.72600    53.4 
30        -30.15640     0.54070 
31         36.40460     3.43470     1.51680    64.2 
32        -61.98770        可変
33               ∞     4.20000     1.51680    64.2
34               ∞      BF
像面             ∞
【０１０６】
表２１  （非球面データ）
第6面
K=-1.52252E+01, A4= 2.52697E-05, A6=-5.64467E-08, A8=-7.35157E-10
A10= 6.02872E-12, A12=-1.20876E-14 
第13面
K= 0.00000E+00, A4=-1.18627E-04, A6= 3.31215E-06, A8=-4.98682E-08
A10= 3.82451E-10, A12=-1.56034E-12 
第14面
K=-2.46760E+02, A4=-5.33359E-05, A6= 2.42750E-06, A8=-4.25379E-08
A10= 3.50327E-10, A12=-9.42154E-13 
第16面
K= 0.00000E+00, A4=-1.88639E-05, A6=-1.68630E-07, A8=-2.47382E-09
A10= 8.88812E-12, A12=-1.49176E-12 
第17面
K= 0.00000E+00, A4= 2.44994E-05, A6=-3.99045E-07, A8= 6.20417E-09
A10=-1.58881E-10, A12=-1.93090E-13 
第22面
K= 0.00000E+00, A4=-1.60567E-06, A6= 2.26576E-07, A8=-7.00856E-09
A10= 7.69602E-11, A12= 0.00000E+00 
【０１０７】
表２２  （各種データ）
ズーム比     9.35774
広角      中間      望遠
焦点距離      14.4729   44.3138  135.4335
Ｆナンバー     4.07421   5.46288   6.09784
画角        41.5356   13.7140    4.5535
像高        10.8150   10.8150   10.8150
レンズ全長    104.5484  133.3466  163.1344
ＢＦ        2.80096   2.83119   2.86074
d5           0.6600   22.7257   42.6368 
d12          4.5590    3.6343    6.6550 
d14         19.6493    9.2648    2.5625 
d32          9.4585   27.4700   40.9988 
入射瞳位置     26.6243   79.8886  230.8777
射出瞳位置    -38.2148  -56.2263  -69.7551
前側主点位置   35.9902   90.9515  113.7186
後側主点位置   90.0755   89.0328   27.7009
【０１０８】
表２３  （単レンズデータ）
レンズ     始面     焦点距離
1         1     -134.1927
2         2       99.9445
3         4       95.4590
4         6      -16.4137
5         9      -39.5601
6        11       23.3877
7        13      -25.5395
8        16       22.6167
9        18       21.1803
10        19      -14.0778
11        21       21.5026
12        23       14.8460
13        24       -8.8040
14        26       18.7846
15        27      -23.5370
16        29      -43.0564
17        31       44.9134
【０１０９】
表２４  （ズームレンズ群データ）
群   始面    焦点距離  レンズ構成長    前側主点位置  後側主点位置
1      1    78.33422    14.85350         3.25903       8.89267
2      6   -34.33959    11.91290        -6.12097      -7.76739
3     13   -25.53954     1.21130         0.15452       0.65407
4     15    20.22408    35.24290         0.14983       9.40650
【０１１０】
表２５  （ズームレンズ群倍率）
群   始面    広角       中間       望遠
1      1    0.00000    0.00000    0.00000
2      6   -0.78951   -1.60248  -22.62201
3     13    0.22929    0.18457    0.02959
4     15   -1.02060   -1.91270   -2.58310
【０１１１】
（数値実施例５）
数値実施例５のズームレンズ系は、図１３に示した実施の形態５に対応する。数値実施例５のズームレンズ系の面データを表２６に、非球面データを表２７に、各種データを表２８に、単レンズデータを表２９に、ズームレンズ群データを表３０に、ズームレンズ群倍率を表３１に示す。
【０１１２】
表２６  （面データ）
面番号         r           d           nd         vd
物面             ∞
1         78.05430     1.50000     1.84666    23.8 
2         47.86090     7.82000     1.49700    81.6 
3      -2811.69830     0.15000 
4         45.22120     5.58000     1.58913    61.3 
5        159.80500        可変
6*        76.22710     1.50000     1.80610    40.7 
7         11.48720     6.49850 
8        -25.34440     0.80000     1.80420    46.5 
9       -144.44850     0.27270 
10         26.87530     3.55000     1.94595    18.0 
11        -79.37890        可変
12*       -22.52260     1.10000     1.80610    40.7 
13*       111.65510        可変
14(絞り)           ∞     0.90030
15*        15.72440     3.34000     1.69350    53.2 
16*       -97.79480     0.53570 
17         15.91670     2.60000     1.69962    55.3 
18        121.55860     0.70000     2.00069    25.5 
19         13.58960     1.13010 
20         39.58830     3.88000     1.49700    81.6 
21        -16.97330     1.56860 
22        271.67740     3.45000     1.84666    23.8 
23        -14.95720     0.70000     1.83481    42.7 
24         17.34190     2.52590 
25         52.65190     2.63000     1.49700    81.6 
26        -63.47340     1.59420 
27        -14.34770     1.10000     1.80610    40.7 
28*       -25.33540     0.15000 
29         21.81500     5.47000     1.49700    81.6 
30        -19.40750     0.70000     1.77250    49.6 
31        -49.40210        可変
32               ∞     4.20000     1.51680    64.2
33               ∞      BF
像面             ∞
【０１１３】
表２７  （非球面データ）
第6面
K= 0.00000E+00, A4= 1.29469E-05, A6=-2.04795E-08, A8=-2.69870E-10
A10= 1.82078E-12, A12=-4.05694E-15 
第12面
K= 0.00000E+00, A4=-5.27193E-05, A6= 1.84470E-06, A8=-2.69590E-08
A10= 2.09790E-10, A12=-3.43788E-13 
第13面
K= 0.00000E+00, A4=-4.85338E-05, A6= 1.64899E-06, A8=-2.62063E-08
A10= 2.03012E-10, A12= 0.00000E+00 
第15面
K= 0.00000E+00, A4=-1.30370E-06, A6= 1.15937E-07, A8= 1.23700E-09
A10= 1.54415E-10, A12= 0.00000E+00 
第16面
K= 0.00000E+00, A4= 7.66841E-05, A6= 1.11210E-07, A8= 2.03485E-09
A10= 1.99005E-10, A12= 0.00000E+00 
第28面
K= 0.00000E+00, A4=-1.11851E-07, A6= 1.14428E-06, A8=-5.01498E-08
A10= 1.16520E-09, A12=-1.00877E-11 
【０１１４】
表２８  （各種データ）
ズーム比     9.27842
広角      中間      望遠
焦点距離      14.5708   44.3848  135.1938
Ｆナンバー     4.16329   4.96539   5.82732
画角        38.9333   13.4967    4.5019
像高        10.6150   10.6150   10.6150
レンズ全長    101.9979  130.1011  158.9982
ＢＦ        2.77797   2.84202   2.81725
d5           0.7000   21.5452   40.0030 
d11          2.9897    3.4834    7.0416 
d13         20.1533    9.3395    2.4926 
d31          9.4309   26.9450   40.6978 
入射瞳位置     28.3323   81.6514  226.3810
射出瞳位置    -37.7892  -55.3033  -69.0561
前側主点位置   37.6696   92.1553  107.2749
後側主点位置   87.4271   85.7163   23.8044
【０１１５】
表２９  （単レンズデータ）
レンズ     始面     焦点距離
1         1     -149.5413
2         2       94.7744
3         4      105.1546
4         6      -16.9542
5         8      -38.3360
6        10       21.5753
7        12      -23.1655
8        15       19.7714
9        17       25.9156
10        18      -15.3392
11        20       24.4603
12        22       16.8371
13        23       -9.5259
14        25       58.3449
15        27      -42.9602
16        29       21.6174
17        30      -41.8036
【０１１６】
表３０  （ズームレンズ群データ）
群   始面    焦点距離  レンズ構成長    前側主点位置  後側主点位置
1      1    76.52351    15.05000         3.15738       8.47428
2      6   -39.03253    12.62120        -6.65518      -7.89966
3     12   -23.16550     1.10000         0.10186       0.59503
4     14    20.03471    32.97480         0.72903       8.14210
【０１１７】
表３１  （ズームレンズ群倍率）
群   始面    広角       中間       望遠
1      1    0.00000    0.00000    0.00000
2      6   -1.05864   -2.43569   16.04584
3     12    0.18222    0.12772   -0.04318
4     14   -0.98708   -1.86446   -2.54968
【０１１８】
以下の表３２に、各数値実施例に係るズームレンズ系における各条件の対応値を示す。
【０１１９】
表３２  （条件の対応値：数値実施例１〜５）
【表２】
2010175959.tif 000005
【産業上の利用可能性】
【０１２０】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【図面の簡単な説明】
【０１２１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６に係るカメラシステムの概略構成図
【符号の説明】
【０１２２】
１００  カメラシステム
１０１  カメラ本体
１０２  撮像素子
１０４  カメラマウント部
２０１  交換レンズ装置
２０２  ズームレンズ系
【図１】
2010175959.tif 000006
【図２】
2010175959.tif 000007
【図３】
2010175959.tif 000008
【図４】
2010175959.tif 000009
【図５】
2010175959.tif 000010
【図６】
2010175959.tif 000011
【図７】
2010175959.tif 000012
【図８】
2010175959.tif 000013
【図９】
2010175959.tif 000014
【図１０】
2010175959.tif 000015
【図１１】
2010175959.tif 000016
【図１２】
2010175959.tif 000017
【図１３】
2010175959.tif 000018
【図１４】
2010175959.tif 000019
【図１５】
2010175959.tif 000020
【図１６】
2010175959.tif 000021